(57)【要約】  化粧シート５を構成するエンボスシート１は、透光性を有するシート状の基材３と、基材３の一方の面３１に設けられる複数の反射部２とを備えている。複数の反射部２それぞれは、入射した光を反射する反射主面２１と、反射主面２１及び基材３の間に設けられる接続面２２，２３とを有している。反射主面２１それぞれは、第１の断面において直線状であり、且つ、第２の断面において湾曲線状である。第１の断面において直線状である反射主面２１の中心位置における直線の基材３の一方の面３１に対する勾配が、複数の反射部２それぞれにおいて、±４０度の範囲内で変動している。このような構成により、反射部２では、入射した光を正反射させることに加え、正反射光とは異なる角度に反射光を射出することができる。
2016093322.tif 000002
【特許請求の範囲】
【請求項１】
透光性を有するシート状の基材と、
前記基材の一方の面に設けられる複数の反射部と、を備え、
前記複数の反射部それぞれは、入射した光を反射する反射主面と、前記反射主面及び前記基材の間に設けられる接続面と、を有し、
前記反射主面それぞれは、前記一方の面と交差する第１の断面において直線状の部分又は湾曲線状の部分を含み、且つ、前記一方の面及び前記第１の断面に交差する第２の断面において直線状の部分又は湾曲線状の部分を含み、
前記第１の断面において直線状の部分又は湾曲線状の部分を含む前記反射主面の中心位置における直線又は曲線部分での接線の前記一方の面に対する勾配が、前記複数の反射部それぞれにおいて、−４０度以上４０度以下の範囲内で変動している、エンボスシート。
【請求項２】
前記第１の断面において、前記接続面は、前記反射主面と接続する部位が円弧状である、請求項１に記載のエンボスシート。
【請求項３】
前記第１の断面において、前記接続面は、前記一方の面と接続する部位が直線状である、請求項１又は２に記載のエンボスシート。
【請求項４】
前記第１の断面において、前記接続面は、前記反射主面の一端側にのみ設けられている、請求項１〜３の何れか一項に記載のエンボスシート。
【請求項５】
前記反射主面それぞれは、前記第１の断面において、前記反射主面の任意の二点における接線同士が０度以上４０度以下の角度をなす緩やかな湾曲線状である、請求項１〜４の何れか一項に記載のエンボスシート。
【請求項６】
前記反射主面は、前記第１の断面において直線状であり、且つ、前記第２の断面において湾曲線状である、請求項１〜５の何れか一項に記載のエンボスシート。
【請求項７】
前記基材の前記一方の面に対して前記反射主面の占める総面積割合が１％以上７０％以下である、請求項１〜６の何れか一項に記載のエンボスシート。
【請求項８】
前記勾配は、前記第１の断面と平行な方向への前記複数の反射部の並びに沿った角度の推移が、前記第２の断面と平行な方向への前記複数の反射部の並びに沿った角度の推移よりも変動が大きい、請求項１〜７の何れか一項に記載のエンボスシート。
【請求項９】
前記勾配は、前記第１の断面と平行な方向への前記複数の反射部の並びに沿った角度の推移が周期的である、請求項８に記載のエンボスシート。
【請求項１０】
前記勾配は、前記第２の断面と平行な方向への前記複数の反射部の並びに沿った角度の推移が、前記第１の断面と平行な方向への前記複数の反射部の並びに沿った角度の推移よりも変動が大きい、請求項１〜７の何れか一項に記載のエンボスシート。
【請求項１１】
前記勾配は、前記第２の断面と平行な方向への前記複数の反射部の並びに沿った角度の推移が周期的である、請求項１０に記載のエンボスシート。
【請求項１２】
前記勾配の角度、及び前記勾配の角度が推移する周期が互いに異なるように前記複数の反射部が設けられた複数の領域を有する、請求項９又は１１に記載のエンボスシート。
【請求項１３】
前記複数の反射部の表面及び前記一方の面の少なくとも一方は、表面粗さＲａが０．０１μｍ以上且つ２０μｍ以下である、請求項１〜１２の何れか一項に記載のエンボスシート。
【請求項１４】
前記複数の反射部それぞれは、凸形状又は凹形状である、請求項１〜１３の何れか一項に記載のエンボスシート。
【請求項１５】
請求項１〜１４の何れか一項に記載のエンボスシートを備える化粧シート。
【発明の詳細な説明】
【技術分野】
【０００１】
本発明は、エンボスシート、及び化粧シートに関する。特に本発明は、照明の反射光を制御する機能を備えたエンボスシート、及び、当該エンボスシートと一体化した化粧シートに関する。
【背景技術】
【０００２】
従来、内装や家具の表面材に使用される化粧板として、木目模様が印刷された化粧シートを合板等に貼り合わせたものが多く使用されている。このような化粧板において、木材の質感を表現した意匠性に優れるものが提案されている。例えば、特許文献１に記載された化粧板では、薄く平坦にした針葉樹材に、広葉樹材の木目模様が印刷された透明オレフィン樹脂系シートを貼り合わせることで、優れた意匠性を実現している。
【先行技術文献】
【特許文献】
【０００３】
【特許文献１】特許第３６７２６３６号明細書
【発明の概要】
【発明が解決しようとする課題】
【０００４】
ところで、天然木の木目模様は、「照り」のある光沢を有する。「照り」とは、天然木に光が入射した際に正反射方向とは異なる方向に現れる光沢であり、光の入射角度及び観察位置を移動すると、照りの現れる箇所も移動する。本発明者らの知見によれば、照りが生じる箇所の移動には異方性があり、これは天然木の細胞内腔が繊維状であることに起因すると考えられる。すなわち、繊維状の細胞内腔の延在方向に入射した光は概ね正反射方向へと反射されるが、繊維状の細胞内腔の配列方向に入射した光は、細胞内腔の角度によって正反射方向とは異なる方向へと偏向して反射される。この細胞内腔の角度が位置によって変化することで、照りが生じる箇所の移動が生じると考えられる。【０００５】
ここで、反射散乱特性評価を行った結果を図１に示す。図１（ａ）は、反射散乱特性評価を行った天然木の木目模様を示す模式図、図１（ｂ）は、Ｙ方向から照明光を入射した際の反射散乱特性の測定結果を示す図、図１（ｃ）は、Ｘ方向から照明光を入射した際の反射散乱特性の測定結果を示す図である。図１（ｂ）に示されるように、Ｙ方向から照明光を入射すると正反射角度とは異なる角度に第２の反射ピークが発生し、測定箇所を変えると第２の反射ピークが発生する角度が変化した。一方、図１（ｃ）に示されるように、Ｘ方向から照明光を入射すると、正反射角度に現れる正反射ピークしか発生しなかった。すなわち、上述した繊維状の細胞内腔に起因した、照りが生じる箇所の移動の異方性が確認された。【０００６】
このような照りが、天然木の光沢の特徴の一つとなっている。しかしながら、上述したような従来の化粧シートでは、天然木の木目模様に現れる照りのある光沢を再現することが難しかった。【０００７】
本発明は、このような課題を解決するためになされたものであり、天然木の木目模様に現れる照りのある光沢を再現できるエンボスシート、及び、当該エンボスシートを備える化粧シートを提供することを目的とする。
【課題を解決するための手段】
【０００８】
本発明に係るエンボスシートは、その一形態として、透光性を有するシート状の基材と、基材の一方の面に設けられる複数の反射部とを備え、複数の反射部それぞれは、入射した光を反射する反射主面と、反射主面及び基材の間に設けられる接続面とを有する。このエンボスシートでは、反射主面それぞれは、一方の面と交差する第１の断面において直線状の部分又は湾曲線状の部分を含み、且つ、一方の面及び第１の断面に交差する第２の断面において直線状の部分又は湾曲線状の部分を含み、第１の断面において直線状の部分又は湾曲線状の部分を含む反射主面の中心位置における直線又は曲線部分での接線の一方の面に対する勾配が、複数の反射部それぞれにおいて、−４０度以上４０度以下の範囲内で変動している。【０００９】
このエンボスシートによれば、基材に設けられた複数の反射部において、各反射主面が、第１の断面において、直線状又は湾曲線状の部分を含み、且つ、反射主面の中心位置における直線又は曲線部分での接線の一方の面に対する勾配が、複数の反射部それぞれにおいて、±４０度の範囲内で変動している。この場合、勾配の異なる反射主面により、基材の一方の面における正反射角度とは異なる角度に反射光を射出することができ、また適度な角度範囲の方向に亘って光が反射されるため、例えば化粧シートに適用した場合、木目模様に現れるような照りを再現することが可能となる。また、勾配が±４０度の範囲内で変動しているため、実際に視認される機会の多い角度範囲の方向に光を反射することもできる。また、反射主面それぞれは、第２の断面において湾曲線状の部分等を含むため、特定の反射ピークを有しない散乱反射光とすることができる。さらに、基材が透光性を有しているため、反射部が設けられていない面側に木目柄の印刷面を配置することで、リアルな木目感を表現できると共に、それら印刷面を劣化から保護することができる。特に、印刷面の木目柄と本エンボスシートの木目方向とを位置あわせすることで、リアルな木目感を表現できるという効果がより高まる。以上により、本発明の一形態に係るエンボスシートを例えば化粧シートに適用すると、天然木の木目模様に現れる照りのある光沢を好適に再現することができる。なお、反射主面の中心位置における直線又は曲線部分での接線と基材の一方の面とのなす角度が異なる反射部（レンズ）が多数配置されるため、箇所によってその反射光角度を自由に設計することができる。【００１０】
上記のエンボスシートでは、第１の断面において、接続面は、反射主面と接続する側の部位が円弧状であってもよい。この場合、接続面に入射した光を散乱反射させることができる。【００１１】
上記のエンボスシートでは、第１の断面において、接続面は、一方の面と接続する部位が直線状であってもよい。この場合、エンボスシートを成形する際の型抜けを良くすることが出来る。【００１２】
上記のエンボスシートでは、第１の断面において、接続面は、反射主面の一端側にのみ設けられていてもよい。この場合、照りを再現する反射主面の機能は維持しつつ、接続面に入射する照明光を低減することができる。接続面に入射する照明光は設計された照り方向とは異なる方向に反射させる要因となるため、低減させることが望ましい。【００１３】
上記のエンボスシートでは、反射主面それぞれは、第１の断面において、反射主面の任意の二点における接線同士が０度以上４０度以下の角度をなす緩やかな湾曲線状であってもよい。この場合、基材の一方の面における正反射角度とは異なる角度に反射光を射出することができ、また適度な角度範囲の方向に亘って光が反射されるため、例えば化粧シートに適用した場合、特定方向へのギラツキを抑えた、より自然な照りを再現することが可能となる。【００１４】
上記のエンボスシートでは、反射主面は、第１の断面において直線状であり、且つ、第２の断面において湾曲線状であってもよい。この場合、第１の断面に沿った方向で入射される光を正反射角度とは異なる方向に射出させることができると共に、第２の断面に沿った方向で入射される光を反射ピークを有しない散乱反射光とすることができ、化粧シートに適用した場合、特定方向へのギラツキを抑えた、より自然な照りを再現することが可能となる。【００１５】
上記のエンボスシートでは、基材の一方の面に対して反射主面の占める総面積割合が１％以上７０％以下であってもよい。この場合、天然木の木目模様に現れる照りのある光沢を再現しやすくなる。【００１６】
上記のエンボスシートでは、勾配は、第１の断面と平行な方向への複数の反射部の並びに沿った角度の推移が、第２の断面と平行な方向への複数の反射部の並びに沿った角度の推移よりも変動が大きくてもよい。この場合、反射部の並びによって光の反射に異方性を持たせることができるため、散乱反射の異方性を線状、または帯状に表現できる。【００１７】
また、勾配は、第１の断面と平行な方向への複数の反射部の並びに沿った角度の推移が周期的であってもよい。この場合、勾配の角度が周期的に推移する反射主面によって適度な角度範囲の方向に亘って光が反射されるため、天然木の木目模様に現れる照りのある光沢を再現できる。【００１８】
また、上記のエンボスシートでは、勾配は、第２の断面と平行な方向への複数の反射部の並びに沿った角度の推移が、第１の断面と平行な方向への複数の反射部の並びに沿った角度の推移よりも変動が大きくてもよい。この場合、反射部の並びによって光の反射に異方性を持たせることができるため、散乱反射の異方性を線状、または帯状に表現できる。【００１９】
また、勾配は、第２の断面と平行な方向への複数の反射部の並びに沿った角度の推移が周期的であってもよい。この場合、勾配の角度が周期的に推移する反射主面によって適度な角度範囲の方向に亘って光が反射されるため、天然木の木目模様に現れる照りのある光沢を再現できる。【００２０】
上記のエンボスシートでは、勾配の角度、及び勾配の角度が推移する周期が互いに異なるように複数の反射部が設けられた複数の領域を有していてもよい。この場合、反射光を強く表現したい領域と弱く表現したい領域とを設定することができるため、天然木の木目模様に現れる照りのある光沢を再現できる。【００２１】
上記のエンボスシートでは、複数の反射部の表面及び一方の面の少なくとも一方は、表面粗さＲａが０．０１μｍ以上且つ２０μｍ以下であってもよい。この場合、適度な角度範囲の方向に亘って光を反射させつつ、好適な散乱特性を得ることができる。なお、上記のエンボスシートでは、複数の反射部は、凸形状又は凹形状であってもよい。【００２２】
また、本発明は、別の側面として、化粧シートに関する。この化粧シートは、上記何れかのエンボスシートを備えて構成される。この化粧シートによれば、上記作用効果を好適に実現することができる。
【発明の効果】
【００２３】
本発明によれば、天然木の木目模様に現れる照りのある光沢を再現できる。
【図面の簡単な説明】
【００２４】
【図１】図１（ａ）は、反射散乱特性評価を行った天然木の木目模様を示す模式図である。図１（ｂ）は、Ｙ方向から照明光を入射した際の反射散乱特性の測定結果を示す図である。図１（ｃ）は、Ｘ方向から照明光を入射した際の反射散乱特性の測定結果を示す図である。
【図２】図２は、本実施形態に係る化粧シートを示す概略図である。
【図３】図３は、本実施形態に係る反射部の一例を示す概略図である。
【図４】図４は、第１変形例に係る反射部を示す概略図である。
【図５】図５は、第２変形例に係る反射部を示す概略図である。
【図６】図６は、第３変形例に係る反射部を示す概略図である。
【図７】図７は、第４変形例に係る反射部を示す概略図である。
【図８】図８は、第５変形例に係る反射部を示す概略図である。
【図９】図９は、第６変形例に係る反射部を示す概略図である。
【図１０】図１０は、第７変形例に係る反射部を示す概略図である。
【図１１】図１１は、第８変形例に係る反射部を示す概略図である。
【図１２】図１２は、反射部の並びの例を示す概略図である。
【図１３】図１３は、反射部の別の並びの例を示す概略図である。
【図１４】図１４は、反射部の並びに対する揺らぎを示す概略図である。
【図１５】図１５は、反射部の並びに対する別の揺らぎを示す概略図である。
【発明を実施するための形態】
【００２５】
以下、本発明に係るエンボスシート、及び、当該エンボスシートを備える化粧シートの実施形態について、図面を用いて詳細に説明する。なお、説明において、同一要素又は同一機能を有する要素には、同一符号を用いる場合があり、重複する説明は省略する。また、各図面では、説明を容易にするため、エンボスシートの上面図において、左右方向に対応する方向を一の方向とし、上下方向に対応する方向を二の方向として説明を行う。
【００２６】
図２は、本実施形態に係る化粧シートの断面構成を示す概略図であり、図３は、図２に示す化粧シートを構成するエンボスシートの反射部を示す概略図である。化粧シート５は、合板等に貼り合わせることで内装や家具の表面材に使用されるものである。図２に示されるように、化粧シート５は、シート状の下層基材６と、下層基材６上に設けられた木目柄の印刷面４と、下層基材６との間で印刷面４を挟み込むように下層基材６上に配置されたエンボスシート１と、を備えて構成されている。下層基材６の材料としては特に限定はされないが、例えば熱可塑性樹脂を用いることができる。下層基材６の好適な材料の一例としては、ランダムＰＰ（ポリプロピレン）やＨＤＰＥ（高密度ポリエチレン）などを挙げることができ、これら熱可塑性樹脂に有機又は無機の顔料を添加してもよい。
【００２７】
印刷面４に用いられるインキとしては、例えばウレタン樹脂バインダーに有機又は無機の顔料を添加したものを好適に用いることができるが、これに限定されるわけではない。化粧シート５の下層基材６とエンボスシート１との界面（印刷面４）に接着層（図示せず）を追加してもよい。接着層としては例えばポリプロピレン系の接着性樹脂などを用いることができるが、これに限定されるわけではなく、化粧シート５の下層基材６とエンボスシート１の密着性等を考慮して適宜選択することができる。また、ポリエステルポリオールにイソシアネート系を混合したアンカー層を化粧シート５の下層基材６と接着層との間に追加してもよい。
【００２８】
次に、化粧シート５に用いられるエンボスシート１について、より詳細に説明する。
【００２９】
図２及び図３に示されるように、本実施形態に係るエンボスシート１は、透光性を有するシート状の基材３と、基材３の一方の面３１上に設けられる複数の反射部２と、を備えて構成されている。図３では、複数配置される反射部２の内の１つについて、上面図（図３（ａ））と、一の方向及び二の方向それぞれに沿った２つの断面図（図３（ｂ）及び（ｃ））とを示している。ここで、一の方向とは図３（ａ）の上面図における左右方向であり、二の方向とはその上下方向であるとし、他の図面においても同様とする。また、第１の断面とは、図３（ｂ）に示すように、基材３の一方の面３１と交差する断面であり、本実施形態では特に基材３の一方の面３１と直交し且つ一の方向を含む平面における断面形状としている。第２の断面とは、図３（ｃ）に示すように、基材３の一方の面３１及び第１の断面と交差する断面であり、本実施形態では特に基材３の一方の面３１と直交し且つ一の方向と直交する二の方向を含む平面における断面形状としている。
【００３０】
図３（ａ）及び（ｂ）に示されるように、複数の反射部２それぞれは、第１の断面において直線状に形成され、入射した光を反射する反射主面２１と、反射主面２１及び基材３の間に設けられた接続面２２，２３とを有している。接続面２２，２３は、第１の断面において、反射主面２１と接続する部位が円弧状をなして、当該反射主面２１と基材３の一方の面３１とを接続する。このように、接続面２２，２３に円弧領域を設けることによって、一の方向からエンボスシート１に入射した光のうち接続面２２，２３に入射した光を散乱反射させることができる。
【００３１】
一方、反射部２は、図３（ｃ）に示すように、第２の断面においては、全体が湾曲線状である。このような構成により、反射部２は、二の方向からエンボスシート１に入射した光を散乱反射させることができる。なお、各図では反射部２は凸形状として示しているが、凹形状であってもよい。
【００３２】
反射部２において、第１の断面及び第２の断面の幅は、１０μｍ以上１ｍｍ以下、より好ましくは５０μｍ以上５００μｍ以下となることが望ましい。１０μｍを下回ると、回折光の影響により虹色に光ってしまい、１ｍｍを超えると、反射部２の１つ１つが人の目に視認されやすくなるためである。
【００３３】
また、図３（ｂ）に示すように、直線状の反射主面２１の中心位置における直線部分は、第１の断面において、基材３の一方の面３１とのなす勾配の角度θが±４０度の範囲内となるように傾斜しており、複数の反射部２それぞれにおいて、この勾配の角度θが±４０度の範囲内で変動している。なお、複数の反射部２の内、一部の反射部２では、反射主面２１の直線部分が基材３の一方の面３１と平行であってもよい。そして、このような反射部２を備えたエンボスシート１に光が入射すると、主として、基材３の一方の面３１及び反射部２の反射主面２１にて、入射した照明光等の光が反射される。このように反射主面２１の傾斜角度θが±４０度の範囲（０度も含む）で変動するように反射部２が配置されるため、基材３の一方の面３１で反射される正反射光に対して異なる方向への反射光（第２の反射ピーク、図１の（ｂ）参照））が生じるようになる。なお、この勾配は、例えば複数の反射部２の並びに沿って角度θが推移している。
【００３４】
この第２の反射ピークの強度については、エンボスシート１における反射部２の面積率を調整することで、その強度を適宜調整することができる。ここで、反射部２の面積率とは、エンボスシート１の一方の面３１の単位面積当たりにおける反射部２の反射主面２１の面積である。反射部２の面積率は任意に設定可能だが、好ましくは１％以上７０％以下の範囲である。反射部２の面積率が１％を下回ると、反射主面２１の面積が少なくなり、第２の反射ピークが弱くなってしまい、また、反射部２の配置が疎らになることで反射部２が１つ１つの点状として視認されてしまうためである。一方、反射部２の面積率が７０％を超えると、基材３の一方の面３１の平坦部の面積が少なくなり、エンボスシート１による反射光の大部分が反射部２によるものとなってしまい正反射光の量が少なくなってしまい、望ましくないためである。
【００３５】
このように、エンボスシート１における反射部２の面積率は１％以上７０％以下の範囲で設定されることが好ましい。なお、基材３の一方の面３１内における反射部２の面積率は一定であってもよいが、場所によって反射部２の面積率を変動（疎密分布）させるようにしてもよい。すなわち、第２の反射ピークの強弱をエンボスシート１内で表現したい場合、例えば第２の反射ピークを弱くしたい領域は反射部２の面積率を１〜２０％の範囲と低くし、第２の反射ピークを強めたい領域は面積率を５０〜７０％の範囲と高くし、その中間は面積率を２０〜５０％の範囲と設定することができる。
【００３６】
なお、エンボスシート１に入射した光を散乱反射させる手法として、基材３の一方の面３１、及び反射部２の少なくともいずれか一方の面を粗面化してもよい。エンボスシート１を成形する際の型を粗面化することで、粗面を転写してもよく、またはエンボスシート１を直接粗面化してもよい。または微粒子を含有したコーティングを施してもよい。このとき、表面粗さＲａは０．０１μｍ以上２０μｍ以下の範囲であることが望ましい。０．０１μｍ以下はほとんど鏡面といっても差支えなく望むような散乱特性を得ることが出来ず、一方で２０μｍを超えると反射部２の機能が低下するためである。すなわち、複数の反射部２の表面及び一方の面３１の少なくとも一方の表面粗さＲａが０．０１μｍ以上且つ２０μｍ以下である場合、適度な角度範囲の方向に亘って光を反射させつつ、好適な散乱特性を得ることができる。このようなエンボスシート１は、後述するように、反射部２と基材３とがポリエチレンテレフタレート（ＰＥＴ）などから一体に形成されてもよいし、別体として形成されてもよい。
【００３７】
［第１変形例］
ここで、エンボスシート１に用いられる反射部２の変形例について説明する。第１変形例は、図４に示すように、第１の断面において、反射主面２１ａが湾曲している点で相違している。図４は、第１変形例に係る反射部を示す概略図である。反射部２ａは、図４に示されるように、半径Ｒ１で湾曲した反射主面２１ａと、Ｒ１より小さい半径ｒ２で湾曲した接続面２２と、半径ｒ３で湾曲した接続面２３と、で構成されている。ここで半径ｒ２とｒ３の大きさは同一であってもよいし、異なっていてもよい。
【００３８】
反射主面２１が直線である場合、第２の反射ピークの幅が狭くなってしまう傾向があるが、天然木では第２の反射ピークはある程度の角度範囲を持つため、反射主面２１は完全な直線であるより、本変形例１のように湾曲していることがより望ましい（図１参照）。第１変形例では、反射主面２１ａは、第１の断面において、反射主面２１ａの任意の二点における接線同士が０度以上４０度以下の角度をなす緩やかな湾曲線状をなしている。また、反射主面２１ａの２つの端点を結んだ直線ｍと反射主面２１ａの２つの端点における接線とのなす角度は、２０度以下でもよい。反射主面２１ａの曲率半径が小さ過ぎると、反射主面２１ａと基材３の一方の面３１とのなす角度θの変動が意味を成さなくなるためである。
【００３９】
また、第１変形例における反射部２ａは、湾曲線状である反射主面２１ａの中心位置における曲線部分での接線と、基材３の一方の面３１とのなす勾配の角度θが±４０度の範囲内にあり、各反射部２ａにおいてこの範囲内で変動することで、反射部２と同様に、基材３の一方の面３１による正反射ピークに対して第２の反射ピークを生じさせることができる。また、このような範囲内で反射することで、実際に視認される機会の多い角度範囲の方向に光を反射することもできる。
【００４０】
［第２変形例］
続いて、反射部の第２変形例について説明する。第２変形例では、図５に示すように、第１の断面において、接続面２２ｂのうち基材３の一方の面３１と接続する側の部位が直線状である点で第１変形例と相違しており、他の形状は第１変形例と同様である。図５は、第２変形例に係る反射部を示す概略図である。反射部２ｂは、図５に示されるように、半径Ｒ１で湾曲した反射主面２１ｂと、反射主面２１ｂと接続する部位が、Ｒ１より小さい半径ｒ２で湾曲した円弧状をなす接続面２２ｂと、半径ｒ３で湾曲した接続面２３と、で構成されており、接続面２２ｂは、基材３の一方の面３１と接続する部位が直線状をなしている。この場合、エンボスシート１を成形する際の型抜けを良くすることが出来る。なお、反射主面２１ｂは、変形例１の反射主面２１ａと同様である。
【００４１】
［第３変形例］
続いて、反射部の第３変形例について説明する。第３変形例では、図６に示すように、第１の断面において、接続面２２が反射主面２１ｃの一端側にのみ設けられており、他端側の接続面が省略されている点で他の例と相違している。図６は、第３変形例に係る反射部を示す概略図である。反射部２ｃは、図６に示されるように、反射主面２１ｃの他端側が基材３の一方の面３１に直接接続され、接続面２３が省略されたものである。この場合、第２のピークを生じさせることで照りを再現する反射主面２１ｃの機能は維持しつつ、接続面２２，２３の何れか一方が省略されることで、接続面２２，２３に入射する照明光を低減することができる。接続面２２，２３に入射する照明光は設計された照り方向とは異なる方向に反射させる要因となるため、低減させることが望ましい。ただし当然ながら、反射主面２１ｃが直線且つ反射主面２１ｃと基材３の一方の面３１とのなす角度θが０度である場合においては接続面２２，２３を省略することは出来ないが、反射主面２１ｃの傾斜角度θ等は、それ以外では、反射部２の反射主面２１と同様である。なお、反射主面２１ｃは、反射主面２１と同様に、勾配の角度θが±４０度の範囲内で変動している。
【００４２】
［第４変形例］
続いて、反射部の第４変形例について説明する。第４変形例では、図７に示すように、反射部２ｄが波線状をなしている点で相違している。図７は、第４変形例に係る反射部を示す概略図である。図７に示されるように、２つ以上の反射部２ｄが周期的に波線状に繰り返されているため、二の方向からエンボスシート１へ入射した光は、波線状の反射部２ｄによって散乱反射される。なお、第４変形例では、反射部２ｄの第１の断面は反射部２の場合と同様としたが、反射部２ａ，２ｂ，２ｃの何れかの場合と同様であってもよい。
【００４３】
［第５変形例］
続いて、反射部の第５変形例について説明する。第５変形例では、図８（ｂ）に示すように、第１の断面において、接続面２２ｅが反射主面２１ｅの一端側に設けられており、微小な円弧である接続面２３ｅが反射主面２１ｅの他端側に設けられている点で例えば第３変形例と相違している。図８（ａ）〜（ｃ）は、第５変形例に係る反射部を示す概略図である。図８に示されるように、反射主面２１ｅは、第１の断面において、その一端側で、微小な半径ｒ４で湾曲した部分を介して接続面２２ｅと接続され、他端側で、微小な半径ｒ５からなる接続面２３ｅを介して基材３の一方の面３１に接続される。この反射主面２１ｅは、反射主面２１と同様に、勾配の角度θが±４０度の範囲内で変動しており、この場合、第２のピークを生じさせることで照りを再現する反射主面２１ｅの機能は維持しつつ、接続面２３ｅをほぼ省略させる形となり、接続面２３ｅに入射する照明光を低減することができる。なお、接続面２２ｅは、微小な半径ｒ６で湾曲した部分を介して基材３の一方の面３１に接続される。また、第５変形例に係る反射部２ｅの反射主面２１ｅは、第３変形例に係る反射主面２１ｃと異なり、第１の断面に沿った方が長軸で第２の断面に沿った方が短軸となる平面形状を呈している。なお、第２の断面に沿う反射主面２１ｅの形状は、変形例３の反射主面２１ｃと同様である。
【００４４】
［第６変形例］
続いて、反射部の第６変形例について説明する。第６変形例では、図９に示すように、第２の断面において、反射主面２１ｆの両端に接続面２４，２５が設けられている点で例えば第５変形例と相違しており、他の構成は第５変形例等と同様である。図９は、第６変形例に係る反射部を示す概略図である。反射部２ｆは、図９に示されるように、第２の方向において、反射主面２１ｆの両端に接続面２４，２５が設けられており、これら接続面２４，２５が一方の面３１と接続されるようになっている。図９では、これら接続面２４，２５は直線となっているが、湾曲線状であってもよい。なお、第１の断面における反射主面２１ｆ，接続面２２ｆ，２３ｆは、第５変形例に係る反射部２ｅの反射主面２１ｅ，接続面２２ｅ，２３ｅに対応しており、略同形状である。
【００４５】
［第７変形例］
続いて、反射部の第７変形例について説明する。第７変形例では、図１０に示すように、第２の断面において、反射主面２１ｆの両端に接続面２４ｇ，２５ｇが設けられており、その間に位置する反射主面２１ｆが直線状になっている点で例えば第５変形例と相違しており、他の構成は第５変形例等と同様である。図１０は、第７変形例に係る反射部を示す概略図である。反射部２ｇは、図１０に示されるように、第２の方向において、直線状の反射主面２１ｇの両端に緩やかな曲線からなる接続面２４ｇ，２５ｇが設けられており、これら接続面２４ｇ，２５ｇが一方の面３１と接続されるようになっている。図９では、これら接続面２４ｇ，２５ｇは湾曲線状となっているが、直線状であってもよい。第１の断面における反射主面２１ｇ，接続面２２ｇ，２３ｇは、第５変形例に係る反射部２ｅの反射主面２１ｅ，接続面２２ｅ，２３ｅに対応しており、略同形状である。
【００４６】
［第８変形例］
続いて、反射部の第８変形例について説明する。第８変形例では、図１１（ａ）に示す第５変形例と異なり、一方の面３１と接続する接続面２３ｈのＲ部が逆向きとなっている点で相違する。図１１（ｂ）は、第８変形例に係る反射部を示す概略図である。反射部２ｈは、図１１（ｂ）に示されるように、第１の方向において、反射主面２１ｅの両端に緩やかな曲線からなる接続面２２ｅ，２３ｈが設けられており、接続面２３ｈのＲ部が反転して、一方の面３１と接続されるようになっている。接続面２３ｈがこのような裾野を引くような逆Ｒ形状であるため、後述する方向でエンボスシートを形成した際、樹脂の流れや版剥離等をスムーズに行うことができ、成型性を向上させることができる。
【００４７】
続いて、エンボスシート１における複数の反射部２の並び、及び当該並びに対する揺らぎについて説明する。
【００４８】
図１２は、反射部の並びを示す概略図である。図１２に示されるように、このエンボスシート１では、反射主面２１の中心位置における直線又は曲線部分での接線と基材３の一方の面３１とによる勾配は、第１の断面と平行である一の方向への複数の反射部２の並びに沿った角度θの推移が、第２の断面と平行である二の方向への、複数の反射部２の並びに沿った角度θの推移より変動が大きくなっている。この場合、反射部２の並びによって光の反射に異方性を持たせることができ、散乱反射の異方性を線状、または帯状に表現できる。なお、図１２では、一例として、二の方向において勾配の角度θは推移せず一定となっているエンボスシート１が示されている。
【００４９】
また、図１３は、反射部の別の並びを示す概略図である。図１３に示されるように、このエンボスシート１では、反射主面２１の中心位置における直線又は曲線部分での接線と基材３の一方の面３１とによる勾配は、第２の断面と平行である二の方向への複数の反射部２の並びに沿った角度θの推移が、第１の断面と平行である一の方向への複数の反射部２の並びに沿った角度θの推移より変動が大きくなっている。この場合も、反射部２の並びによって光の反射に異方性を持たせることができ、散乱反射の異方性を線状、または帯状に表現できる。なお、図１３では、一例として、一の方向において勾配の角度θは推移せず一定となっているエンボスシート１が示されている。
【００５０】
以上のように、反射部２自体に散乱反射の異方性を持たせ、且つ、配置においても異方性を持たせることで、散乱反射の異方性を線状、または帯状に表現することができる。
【００５１】
次に、エンボスシート１における揺らぎの例について図１４及び図１５を参照して説明する。図１４は、反射部の並びに対する揺らぎを示す概略図であり、図１５は、反射部の並びに対する別の揺らぎを示す概略図である。図１４に示すように、エンボスシート１は、複数の反射部２が配置される位置に対して揺らぎを加えてもよい。または、図１５に示すように、エンボスシート１は、複数の反射部２が配置される位置に対しては揺らぎを加えず、配列に揺らぎを加えてもよい。
【００５２】
なお、上述したように、本実施形態に係る反射部２等では、反射部２等の反射主面２１と基材３の一方の面３１とによる勾配の角度θは、一の方向において±４０度以下の範囲で変動するが、例えば−３５度→−３０度、・・・−５度→０度→＋５度→・・・＋３０度→＋３５度・・・といった角度θの推移を周期的に繰り返すようにしてもよい。また、勾配の角度θの推移は、上記のように例えば５度刻みのように大きな刻み値でもよいが、１度以下の小さい刻み値であってもよい。刻み値が小さいほど、光の入射角度や観察位置を変更した際において、第２の反射ピークが発生する角度の変化が滑らかになり、照りが生じる箇所の移動が滑らかになって望ましい一方、刻み値が大きいほど製造プロセスが簡略化される。
【００５３】
このように、勾配の一の方向への複数の反射部２の並びに沿った角度θの推移が周期的である場合、勾配の角度θが周期的に推移する反射主面２１によって適度な角度範囲の方向に亘って光が反射される。従って、エンボスシート１を用いた化粧シート５において、天然木の木目模様に現れる照りのある光沢を好適に再現することが可能となる。
【００５４】
同様に、二の方向においても、反射部２の反射主面２１と基材３の一方の面３１とによる勾配は、角度θの推移を周期的に繰り返してもよい。このように、勾配の二の方向への複数の反射部２の並びに沿った角度θの推移が周期的である場合、勾配の角度θが周期的に推移する反射主面２１によって適度な角度範囲の方向に亘って光が反射される。従って、エンボスシート１を用いた化粧シート５において、天然木の木目模様に現れる照りのある光沢を再現できる。
【００５５】
なお、エンボスシート１は、勾配の角度θ、及び、勾配の角度θが推移する周期が互いに異なるように複数の反射部２が設けられた複数の領域を有していてもよい。この場合、反射光を強く表現したい領域と弱く表現したい領域とを設定することができ、化粧シート５に用いられることで天然木の木目模様に現れる照りのある光沢を再現できる。すなわち、反射部２の反射主面２１と基材３の一方の面３１とによる勾配が、角度θの推移を周期的に繰り返す場合、変動周期が１種でも良いが２種以上の周期で構成されてもよく、また１周期内の角度θの変動範囲も１種でもよいが２種以上であってもよい。例えば、ある箇所の１周期の幅は５０ｍｍで角度θの変動は±３５度の範囲であって、別の箇所の１周期の幅は２０ｍｍで角度θの変動は±２０度の範囲、といったように構成することができる。特に、複数の反射部２が並んで配置される場合、異なる周期間は連続して角度θが変動することが望ましい。
【００５６】
また、反射部２の反射主面２１と基材３の一方の面３１とによる勾配の角度θの推移は、並んで配置される複数の反射部２を１つ１つ変えてもよいが、２つ以上の反射部２を１単位として角度θを推移させてもよい。例えば一の方向に並んで配置される１０個の反射部２を１単位とし、１単位内においては、反射主面２１と一方の面３１とによる勾配の角度θを一定としてもよい。なお、配列に対して上述した揺らぎを加えた場合、１単位内の反射部２の数が変動しても良い（図１４、図１５参照）。
【００５７】
続いて、エンボスシート１の製造方法の一例について説明する。
【００５８】
エンボスシート１は、例えば切削により反射部２に相当する凹部を形成した版を用いて、押出成形法、射出成型法、あるいは熱プレス成型法によって、基材３と反射部２とを一体に成形することができる。用いる樹脂としては、例えば、ポリエチレンテレフタレート（ＰＥＴ）、ポリエチレン−２、６−ナフレート、ポリプロピレンテレフタレート、ポリブチレンテレフタレート、シクロヘキサンジメタノール共重合ポリエステル樹脂、イソフタル酸共重合ポリエステル樹脂、スポログリコール共重合ポリエステル樹脂、フルオレン共重合ポリエステル樹脂等のポリエステル系樹脂、ポリエチレン、ポリプロピレン（ホモポリマー、ランダムコポリマー、ブロックコポリマー）、ポリメチルペンテン、脂環式オレフィン共重合樹脂等のポリオレフィン系樹脂、ポリメチルメタクリレート等のアクリル樹脂、ポリカーボネート、ポリスチレン、ポリアミド、ポリエーテル、ポリエステルアミド、ポリエーテルエステル、ポリ塩化ビニル、シクロオレフィンポリマー、ポリアクリロニトリル共重合体、アクリロニトリルスチレン共重合体、およびこれらを成分とする共重合体、またこれら樹脂の混合物などを用いることができ、特に制限されることはない。例えば紫外線吸収剤や光安定剤等を添加してもよい。または上記熱可塑性樹脂を用いて、押出成形法、射出成型法によって基材３を成形した後、反射部２を形成する版を用いて、熱プレス法、紫外性硬化成形法、電子線硬化成形法等によって反射部２を形成してもよい。
【００５９】
以上説明したように、エンボスシート１を備えた化粧シート５によれば、基材３に設けられた複数の反射部２において、各反射主面２１が、第１の断面において、直線状又は緩やかな湾曲線状であり、且つ、反射主面２１の中心位置における直線又は曲線部分での接線の一方の面３１に対する勾配が、複数の反射部２それぞれにおいて、±４０度の範囲内で変動している。このように勾配の異なる反射主面２１により、基材３の一方の面３１における正反射角度とは異なる角度に反射光を射出することができ、また適度な角度範囲の方向に亘って光が反射されるため、木目模様に現れるような照りを再現することが可能となる。また、勾配が±４０度の範囲内で変動しているため、実際に視認される機会の多い角度範囲の方向に光を反射することもできる。また、反射主面２１それぞれは、第２の断面において湾曲線状であるため、特定の反射ピークを有しない散乱反射光とすることもできる。さらに、基材３が透光性を有しているため、反射部２が設けられていない面側に木目柄の印刷面４を配置することで、リアルな木目感を表現できると共に、それら印刷面４を劣化から保護することができる。特に、印刷面４の木目柄と本エンボスシート１の木目方向とを位置あわせすることで、リアルな木目感を表現できるという効果がより高まる。以上により、本実施形態に係る化粧シート５によれば、天然木の木目模様に現れる照りのある光沢を好適に再現することができる。
【００６０】
なお、本発明は上記実施形態に限定されるものではない。例えば、エンボスシート１には、上述した反射部２だけでなく、導管を表現する凹部または凸部（図示せず）を設けてもよく、この場合、よりリアルな木目感を表現することができる。また、エンボスシート１の表面にオーバーコート層（図示せず）を更に設けるようにしてもよい。オーバーコート層の材料としては、例えばアクリルポリオールにイソシアネート系を混合した樹脂に紫外線吸収剤や光安定剤等を添加したものを用いることができるが、特に限定はされるものではない。さらに、上述の構成では印刷面４として木目柄を用いたが、これに限定されず、任意の絵柄を採用してもよい。この場合、化粧シートのみならず、食料品や飲料品、トイレタリー用品等の液体、粉体、固体を充填するスタンディングパウチや、包装袋、包装箱、口栓付きパウチ、ラミチューブ、バックインボックス等の包装材に照り感を付与することができ、包装材の意匠性を高めることができる。
【実施例】
【００６１】
以下、実施例及び比較例に基づいて本発明をより具体的に説明するが、本発明は以下の実施例に限定されるものではない。【００６２】
まず、本発明の効果検証のため、以下に示すようなエンボスシート１、及び化粧シート５を作製した。【００６３】
作製したエンボスシート１の反射部２は、第１の断面において、反射主面２１と接続面２２，２３とを含むように構成されていた。反射主面２１は、湾曲しており、２つの端点を結ぶ直線と、２つの端点における接線とのなす角度がそれぞれ１０度、２つの端点を結ぶ直線の長さは５０μｍであった。接続面２２，２３は円弧状とした（図５参照）。反射主面２１の中心位置における曲線部分の接線と基材３の一方の面３１とのなす角度θが０度である場合において、接続面２２，２３と反射主面２１との接点における接線と、基材３の一方の面３１とのなす角度を１０度にすると共に、円弧の他方の点における接線と、基材３の一方の面３１とのなす角度を５０度とし、この点より基材３側は、基材３の一方の面３１とのなす角度が５０度である直線とした（図５参照）。【００６４】
作製したエンボスシート１の反射部２は、第２の断面においては、全体が円弧形状となり、基材３の一方の面３１と接する点における接線が基材３の一方の面３１との間でなす角度が２５度であった。【００６５】
本実施例におけるエンボスシート１では、上述した構成の複数の反射部２を以下のように並べて配置した。すなわち、反射主面２１の中心位置における接線と基材３の一方の面３１とのなす角度θを、二の方向への複数の反射部２の並びに沿って、±３０度の範囲において５度刻みで変動するように推移させた。また、上記推移の周期の幅を以下の順番で変えて並べた配置とした。具体的には、１０ｍｍ、８ｍｍ、３ｍｍ、６ｍｍ、１０ｍｍ、６ｍｍ、３ｍｍ、８ｍｍ、１０ｍｍ、８ｍｍ、３ｍｍ、６ｍｍ、１０ｍｍ、６ｍｍ、３ｍｍであり、全体で１００ｍｍの幅であった。一方、一の方向への複数の反射部２の並びにおいては、一定のピッチで反射部２を並べて配置した。反射部２の面積率は３０％とした。【００６６】
また、このようなエンボスシート１を成形するための金型にサンドブラスト処理を行い、基材３の一方の面３１が転写される平坦面における表面粗さが約２μｍとなるようにした。更に、導管を表現する凹部を転写するパターンも金型上に形成した。【００６７】
なお、比較例として、平坦な金型に同様のサンドブラスト処理と導管を表現する凹部を転写するパターンを形成した金型を準備した。【００６８】
上記実施例及び比較例において、木目柄が印刷されたシート状の下層基材６上に、上記２つの金型を用い、透光性を有する樹脂でエンボスシート１を成形することで、エンボス面を有する化粧シート５、及び、比較例による化粧シートを得た。【００６９】
実施例による化粧シート５は、照明下において帯状の輝線が見え、見る角度や化粧シート５の角度を変えると帯状の輝線が移動する視覚表現が得られた。一方、比較例による化粧シートは、上記のような輝線を生じなかった。２つを比較し、実施例による化粧シート５の方が、天然木の木目模様に現れる照りのある光沢を再現できることが確認された。
【産業上の利用可能性】
【００７０】
本発明によれば、天然木の木目模様に現れる照りのある光沢を再現できるエンボスシート、及び、当該エンボスシートを備える化粧シートが提供される。
【符号の説明】
【００７１】
１…エンボスシート、２，２ａ〜２ｈ…反射部、２１，２１ａ〜２１ｅ…反射主面、２２，２２ｂ，２２ｅ〜２２ｇ…接続面、２３，２３ｅ〜２３ｈ…接続面、３…基材、３１…一方の面、４…印刷面、５…化粧シート、６…下層基材。
【図１】
2016093322.tif 000003
【図２】
2016093322.tif 000004
【図３】
2016093322.tif 000005
【図４】
2016093322.tif 000006
【図５】
2016093322.tif 000007
【図６】
2016093322.tif 000008
【図７】
2016093322.tif 000009
【図８】
2016093322.tif 000010
【図９】
2016093322.tif 000011
【図１０】
2016093322.tif 000012
【図１１】
2016093322.tif 000013
【図１２】
2016093322.tif 000014
【図１３】
2016093322.tif 000015
【図１４】
2016093322.tif 000016
【図１５】
2016093322.tif 000017
【国際調査報告】
2016093322.tif 000018
2016093322.tif 000019
2016093322.tif 000020
2016093322.tif 000021